(57)【要約】【課題】シート状記録媒体の吸湿による白抜け画像の発生を低コストで実現できるようにする。【解決手段】デジタル複写機の給紙ユニット８２には、ロール状に巻成された転写紙７８、７９、８０が備えられており、これらの近傍には湿度センサ６１が設けられている。電源オン時、図示しない制御手段は、湿度センサ６１からの検出情報に基づいて転写紙の吸湿度を判断し、白抜け画像が発生するレベルの場合には、転写紙７８、７９、８０のうちの使用対象となっているものあるいは全てについて一定長をカットして白紙排出する制御を行う。その後、プリント動作に移行する。【選択図】      図１
2005024715.tif 000002
【特許請求の範囲】
【請求項１】
像担持体上に形成された静電潜像を現像手段により可視像化し、該可視像を、ロール状に巻成され所定長さにカットされて給送されるシート状記録媒体に転写手段により転写し、転写された可視像を定着手段により定着する画像形成装置において、
電源オン時、ロール状に巻成されたシート状記録媒体の先端からの一定長をカットし、画像形成を行うことなく排出することを特徴とする画像形成装置。
【請求項２】
像担持体上に形成された静電潜像を現像手段により可視像化し、該可視像を、ロール状に巻成され所定長さにカットされて給送されるシート状記録媒体に転写手段により転写し、転写された可視像を定着手段により定着する画像形成装置において、
湿度を検出する湿度検出手段を有し、該湿度検出手段からの検出情報に基づいて電源オン時の湿度を判断し、湿度がある基準値を超えていた場合にはロール状に巻成されたシート状記録媒体の先端からの一定長をカットし、画像形成を行うことなく排出し、その後、通常の画像形成動作を行い、湿度がある基準値を超えていない場合には最初から通常の画像形成動作を行うことを特徴とする画像形成装置。
【請求項３】
像担持体上に形成された静電潜像を現像手段により可視像化し、該可視像を、ロール状に巻成され所定長さにカットされて給送されるシート状記録媒体に転写手段により転写し、転写された可視像を定着手段により定着する画像形成装置において、
あるタイミングにて、ロール状に巻成されたシート状記録媒体の先端からの一定長をカットし、画像形成を行うことなく排出することを特徴とする画像形成装置。
【請求項４】
請求項３記載の画像形成装置において、
上記あるタイミングが、画像形成動作の直前であることを特徴とする画像形成装置。
【請求項５】
像担持体上に形成された静電潜像を現像手段により可視像化し、該可視像を、ロール状に巻成され所定長さにカットされて給送されるシート状記録媒体に転写手段により転写し、転写された可視像を定着手段により定着する画像形成装置において、
湿度を検出する湿度検出手段と、タイマーを有し、画像形成動作の停止中に上記湿度検出手段からの検出情報に基づいて湿度がある基準値を超えたと判断された場合、上記タイマーをスタートさせ、所定時間が経過した場合には、ロール状に巻成されたシート状記録媒体の先端からの一定長をカットし、画像形成を行うことなく排出することを特徴とする画像形成装置。
【請求項６】
請求項５記載の画像形成装置において、
画像形成を行うことなく排出することを、次の画像形成動作の直前に行うことを特徴とする画像形成装置。
【請求項７】
請求項５又は６記載の画像形成装置において、
上記所定時間を任意に変更可能であることを特徴とする画像形成装置。
【請求項８】
請求項１乃至７のうちの何れか１つに記載の画像形成装置において、
シート状記録媒体の種類に応じて上記一定長を変えることを特徴とする画像形成装置。
【請求項９】
請求項１乃至８のうちの何れか１つに記載の画像形成装置において、
画像形成を行うことなく排出されるシート状記録媒体の排出先を、任意に選択可能であることを特徴とする画像形成装置。
【発明の詳細な説明】
【０００１】
【発明の属する技術分野】
本発明は、複写機、プリンタ、ファクシミリ、プロッタ等の画像形成装置に関し、詳しくは、ロール状に巻成されたシート状記録媒体を所定長さにカットして使用する方式の画像形成装置に関する。
【０００２】
【従来の技術】
この種の画像形成装置では、感光体等の像担持体上に画像情報に基づいて静電潜像を形成し、該静電潜像を現像手段によりトナー像として可視像化し、該トナー像を転写手段によりシート状記録媒体としての用紙に転写し、トナー像を保持した用紙を定着手段に通して定着するようになっている。
用紙はロール状に巻成され、設定された用紙長さ情報に基づいて適宜所定長さにカットされて給紙されるようになっている。
ロール状に巻成された用紙を装置内に長く入れとおくと、使用環境条件によっては吸湿してしまう。用紙の吸湿レベルはロール状の外側が大きく、湿度の高い状態でそのままロールの先端からの所定長さをカットして使用すると、吸湿によって画像転写が不十分となり、いわゆる白抜け画像が発生するという不具合があった。
その対策として、給紙トレイ内やその近傍にヒータを設け、常時ヒータに通電して用紙を保温（換言すれば装置内の空気の乾燥化＝低湿化）することが行われている。
【０００３】
【発明が解決しようとする課題】
しかしながら、装置内にヒータを配置する方式では、装置コストが高くなるとともに、装置非使用時にもヒータへの通電がなされているために積算電力が大きく、不経済であった。
【０００４】
本発明は、シート状記録媒体の吸湿による白抜け画像の発生を低コストで実現できる画像形成装置の提供を、その目的とする。
【０００５】
【課題を解決するための手段】
上記目的を達成するために、請求項１記載の発明では、像担持体上に形成された静電潜像を現像手段により可視像化し、該可視像を、ロール状に巻成され所定長さにカットされて給送されるシート状記録媒体に転写手段により転写し、転写された可視像を定着手段により定着する画像形成装置において、電源オン時、ロール状に巻成されたシート状記録媒体の先端からの一定長をカットし、画像形成を行うことなく排出することを特徴とする。
【０００６】
請求項２記載の発明では、像担持体上に形成された静電潜像を現像手段により可視像化し、該可視像を、ロール状に巻成され所定長さにカットされて給送されるシート状記録媒体に転写手段により転写し、転写された可視像を定着手段により定着する画像形成装置において、湿度を検出する湿度検出手段を有し、該湿度検出手段からの検出情報に基づいて電源オン時の湿度を判断し、湿度がある基準値を超えていた場合にはロール状に巻成されたシート状記録媒体の先端からの一定長をカットし、画像形成を行うことなく排出し、その後、通常の画像形成動作を行い、湿度がある基準値を超えていない場合には最初から通常の画像形成動作を行うことを特徴とする。
【０００７】
請求項３記載の発明では、像担持体上に形成された静電潜像を現像手段により可視像化し、該可視像を、ロール状に巻成され所定長さにカットされて給送されるシート状記録媒体に転写手段により転写し、転写された可視像を定着手段により定着する画像形成装置において、あるタイミングにて、ロール状に巻成されたシート状記録媒体の先端からの一定長をカットし、画像形成を行うことなく排出することを特徴とする。
【０００８】
請求項４記載の発明では、請求項３記載の画像形成装置において、上記あるタイミングが、画像形成動作の直前であることを特徴とする。
【０００９】
請求項５記載の発明では、像担持体上に形成された静電潜像を現像手段により可視像化し、該可視像を、ロール状に巻成され所定長さにカットされて給送されるシート状記録媒体に転写手段により転写し、転写された可視像を定着手段により定着する画像形成装置において、湿度を検出する湿度検出手段と、タイマーを有し、画像形成動作の停止中に上記湿度検出手段からの検出情報に基づいて湿度がある基準値を超えたと判断された場合、上記タイマーをスタートさせ、所定時間が経過した場合には、ロール状に巻成されたシート状記録媒体の先端からの一定長をカットし、画像形成を行うことなく排出することを特徴とする。
【００１０】
請求項６記載の発明では、請求項５記載の画像形成装置において、画像形成を行うことなく排出することを、次の画像形成動作の直前に行うことを特徴とする。
【００１１】
請求項７記載の発明では、請求項５又は６記載の画像形成装置において、上記所定時間を任意に変更可能であることを特徴とする。
【００１２】
請求項８記載の発明では、請求項１乃至７のうちの何れか１つに記載の画像形成装置において、シート状記録媒体の種類に応じて上記一定長を変えることを特徴とする。
【００１３】
請求項９記載の発明では、請求項１乃至８のうちの何れか１つに記載の画像形成装置において、画像形成を行うことなく排出されるシート状記録媒体の排出先を、任意に選択可能であることを特徴とする。
【００１４】
【発明の実施の形態】
以下、本発明の実施形態を図１乃至図５に基づいて説明する。
まず、図１に基づいて、本実施形態における画像形成装置としてのデジタル複写機の構成の概要を説明する。デジタル複写機は、装置本体側の給紙ユニット８２と、作像ユニット８１と、装置本体上部に装着された原稿搬送装置１１とから主に構成されている。
原稿搬送装置（ＡＤＦ）１１は、シート状の原稿Ｓを読取位置へ搬送し、原稿Ｓの厚さ（コシの強さ）に応じて予め設定された動作モード（後方排紙モード又は前方排紙モード又は巻取りモード）に従い、読み取り後の原稿Ｓを矢印ａ方向に搬送して装置後方（背面側）の第１原稿排紙トレイ２６に排出するか、又は、読み取り反転後の原稿Ｓを矢印ｃ方向に案内して装置前方（前面側）の第２原稿排紙トレイ１２に排出するか、あるいは読み取り後に装置後方の第１原稿排紙トレイ２６に案内された原稿Ｓを巻取り収納ガイド２７で矢印ｂ方向に巻き取る。
ユーザが巻取り収納ガイド２７を装置上方に回転移動させることにより、巻き取り後の原稿後端は装置筐体と離間し、原稿Ｓはユーザ操作位置で巻取り収納ガイド２７の上方又は側方から取り出される。ここで、装置前方（前面側）とは、操作部５１の表示画面の向きであり、装置後方（背面側）とは、操作部５１の表示画面の向きと反対側、つまり後方排紙モードで原稿Ｓを排出する第１原稿排紙トレイ２６側である。
【００１５】
ＡＤＦ１１の上部ユニットは、図示しないヒンジなどの連結部材によってその下部ユニットと上下方向に開閉自在に接続されている。前記上部ユニットの上部には、操作部５１及び第２原稿排紙トレイ１２が装置前方に向いて搭載され、ユニット上部の後方端には巻取り収納ガイド２７がユニット上面と背面の間を揺動可能に支持されている。
巻取り収納ガイド２７は、支持軸２９を支持する支持部材を含む連結手段によって上部ユニットと連結され、支持軸２９を中心として回動可能であって、ユーザの操作で、装置後方の巻取り位置（図１に示す巻取り収納ガイド２７の設定位置）と装置前方（前面側）の取出し位置とに移動可能に構成されている。
【００１６】
第２原稿排紙トレイ１２は、櫛歯状に形成された金属製ワイヤからなり、前記上部ユニットの上部に後方から前方に向けて傾斜配設され、反転されて排出された原稿を、装置前方のユーザ操作位置で取出し可能に収納する。
操作部５１の操作パネル５１Ａ（図２参照）には、図示しないスタートキー、テンキー、クリア／ストップキー、初期設定キー、モードキーなどのキー群、及び液晶タッチパネルが備えられ、ユーザの操作で各動作モードの設定や動作開始、停止指示が可能なように構成されている。上記液晶タッチパネルは、画面毎に適宜出現する機能キーを含む入力操作部５１Ｂ（図２参照）と、部数や装置状態などをメッセージ表示する表示部とを併せ持つ。ユーザ操作による動作モードなどの設定内容は、操作部５１から図２に示す制御手段６０に送信される。
【００１７】
読取部１７は、図示しないミラー、光源、結像レンズ、シェーディング板、光電変換素子（ＣＣＤイメージセンサ）、スキャナモータなどからなるスキャナユニットであって、装置前方から挿入・搬送されてきた原稿に搬送路上方から光を照射し、その反射光をミラー及び結像レンズを介してＣＣＤイメージセンサの受光面に結像し、その画像面を順次画像信号（画像データ）に変換する。
搬送ローラ対１４の下流近傍（搬送ローラ対１４と第１原稿排紙トレイ２６の間で搬送ローラ対１４付近）には、図示しない分岐爪が配設され、該分岐爪は、予め設定された動作モードに基づく、図示しないソレノイド機構の吸引／解除動作で駆動される。
前方排紙モードでは、前記分岐爪により、読み取り後の原稿を第２原稿排紙トレイ１２側に分岐させ、後方排紙モード及び巻取りモードでは、読み取り後の原稿を第１原稿排紙トレイ２６側に分岐させる。
【００１８】
前記下部ユニットの前方上面には原稿テーブル２０が配設され、ユニット後方背面には第１原稿排紙トレイ２６が突き出して取り付けられている。原稿テーブル２０は、原稿Ｓをその画像面を上向きにして載置され、装置前方から挿入された原稿Ｓを搬送ローラ対１３のニップ部に案内する。
レジストセンサ１８は、読取部１７の上流近傍に配設された光学式反射型センサであって、原稿先端が読取部１７に到達したことを検知してオン状態となり、原稿後端通過後にオフとなる。レジストセンサ１８の後端検知タイミングに基づき、後方排紙モード時における前記分岐爪の復帰処理及び図示しない搬送モータの停止処理がなされる。
第１原稿排紙トレイ２６は、搬送方向下流に向かって高くなるように傾斜し、櫛歯状に形成された金属製ワイヤからなり、搬送ローラ対１４の下流の排出口から装置後方に伸展状態で排出された原稿をそのまま収納する。巻取り収納ガイド２７が巻取り位置にある場合、第１原稿排紙トレイ２６の櫛歯状ワイヤと巻取り収納ガイド２７の櫛歯状ワイヤとが交差し、第１原稿排紙トレイ２６の一部が巻取り収納ガイド２７の受入れ口（案内手段）として兼用される。
【００１９】
搬送ローラ対１３〜１５、バックアップローラ１６は、ステッピングモータからなり、装置本体から電源電圧を供給されて、いずれも上記搬送モータの駆動で正逆回転する。
作像ユニット８１は、像担持体としてのドラム状の感光体３３を中心とし、この感光体３３の周囲には、電子写真プロセスの工程順に、帯電チャージャ３１、書込みユニット、現像手段としての現像ユニット３２、転写手段としての転写チャージャ３６、分離チャージャ３７などが配設されている。
前記書込みユニットは、レーザ出力ユニット（レーザダイオード、ポリゴンミラーなどを具備）、結像レンズ、ミラーなどによるレーザ書込光学系を構成している。
【００２０】
作像ユニット８１の下部には、シート状記録媒体としての第１〜第３のロール転写紙７８〜８０が引き出し自在に装着されている。第１のロール転写紙７８は、搬送ローラ対７２で引き出され、共通の縦搬送ユニットに案内された後、カッタ７６により所定長にカットされる。切断されたカット紙は搬送ローラ対７１で搬送され、レジストローラ対７０で一旦停止されて斜めずれを修正された後、感光体３３上の画像先端と搬送方向の先端部の所定位置とが一致するタイミングで転写位置へ送られる。
第１のロール転写紙７８と並置された第２のロール転写紙７９は、搬送ローラ対７３で引き出され、共通の縦搬送ユニットに案内された後、カッタ７６により所定長に切断される。切断されたカット紙は搬送ローラ対７１で搬送され、レジストローラ対７０で一旦停止されて斜めずれを修正された後、感光体３３上の画像先端と搬送方向の先端部の所定位置とが一致するタイミングで転写位置へ送られる。
最下方に配設された第３のロール転写紙８０は、搬送ローラ対７５で引き出され、共通の縦搬送ユニットに案内された後、カッタ７７により所定長に切断される。切断されたカット紙は搬送ローラ対７４、７１で搬送され、レジストローラ対７０で一旦停止されて斜めずれを修正された後、感光体３３上の画像先端と搬送方向の先端部の所定位置とが一致するタイミングで転写位置へ送られる。
第１〜第３のロール転写紙７８〜８０の近傍には、湿度検出手段としての湿度センサ６１が設けられている。
【００２１】
感光体３３の転写位置よりも搬送方向下流には、図示しない搬送ベルト、定着手段としての定着ユニット（定着ローラ３５、加圧ローラ３４を含む）、排紙ローラ対３８、３９を含む排紙ユニット、排紙トレイ４０、４１などが設けられている。
第１〜第３のロール転写紙７８〜８０は、ＡＤＦ１１側で検出した原稿長さに応じ、選択・切断され、前記縦搬送ユニットにより感光体３３の転写位置まで搬送される。副走査方向に回転駆動される感光体３３側では、前記書込みユニットによる主走査方向の光書込みを受けて静電潜像が形成され、現像ユニット３２による現像を受けてトナー像が形成される。
前記縦搬送ユニットにより搬送されたカット済み転写紙は、このトナー像先端と同期を取りながら、感光体３３と同速で駆動される前記搬送ベルトによって搬送され、トナー像の転写を受ける。転写後の転写紙は、前記定着ユニットによる定着処理を受けた後、転写紙サイズに応じて、排紙ローラ対３８、３９を介して排紙トレイ４０、４１上に排出される。
【００２２】
図２に示す制御手段６０は、ＣＰＵ、ＲＯＭ、ＲＡＭ、Ｉ／Ｏインターフェース等を有するマイクロコンピュータであり、デジタル複写機のメインコントローラが兼ねることができる。
湿度センサ６１からの検出情報は、図示しないＡ／Ｄコンバータによりデジタル化されてＣＰＵに入力される。ＣＰＵは入力されたデータを湿度値に変換し、その湿度値に応じた吸湿判定時間（所定時間又はタイマーカウント設定値）を設定し、タイマー６５をスタートさせる。
吸湿判定時間は、予め実験等（コンピュータシミュレーションを含む）により求められた用紙（転写紙）の種類（厚さ、幅サイズ等を含む）と吸湿特性との関係データテーブルとしてＲＯＭに記憶されており、制御手段６０は、操作パネル５１Ａにより設定され、又は選択された用紙種類に基づいて対応する吸湿判定時間を選択し、設定する。吸湿判定時間をユーザが任意に変更できるようにしてもよい。
【００２３】
図３に示すように、操作パネル５１Ａの入力操作部５１Ｂの一部である用紙種類設定部５１Ｂ−１には、紙厚設定画面があり、各給紙トレイ（ロール転写紙の装着部）の用紙の厚みをユーザが任意に設定できるようになっている。例えば１番目のトレイには普通紙がセットされ、２番目のトレイにはトレペ（トレーシングペーパ）がセットされ、３番目のトレイにはフィルムがセットされ、４番目のトレイには再生紙がセットされる。
各用紙表示の右側には、例えば５段階の厚み設定キー（タッチパネルキー）が設けられており、それぞれの用紙において厚みを設定する。本実施形態では数字が小さくなるほど厚みは大きくなり、数字が大きくなるほど厚みは小さくなる。図３では各用紙において中間の厚みの３に設定されていることを示している。厚み入力をミスした場合には取消キー６２で取り消して再入力することができ、設定キー６３の押下により入力が確定する。
用紙の種類によって吸湿特性が異なり、また、厚みによっても異なる。上記データテーブルには用紙の種類と厚みをパラメータとした実験データが記録されている。ユーザが入力する用紙種類、用紙幅情報をメモリ（ＲＡＭ）に格納し、格納された情報に基づいてデータテーブルより吸湿判定時間を抽出するようにしてもよい。
【００２４】
本実施形態における制御動作を、図４及び図５のフローチャートに基づいて説明する。画像形成動作（コピー）の停止中において、まず、図４に示すように、制御手段６０は湿度センサ６１の検出値を読み取り（Ｓ１）、検出値が基準値を超えているかどうかをチェックする（Ｓ２）。ここで、基準値とは、画像に影響が出ない湿度値の上限であり、用紙の種類によって異なり、用紙の種類別にＲＯＭに記憶されている。
検出値が基準値を超えていた場合には、設定された用紙種類（厚さ、幅サイズ等を含む）に対応した吸湿判定時間（タイマーカウント値）をデータテーブルから選択して設定する（Ｓ３）。設定後、タイマー６５をスタートさせ（Ｓ４）、タイマーカウント値に達したかどうかをチェックする（Ｓ５）。達した場合には、白紙排出用フラグをセットする（Ｓ６）。
Ｓ２において、検出値が基準値を超えていない場合には、吸湿による転写不良は生じないので、通常の画像形成動作（プリント動作）を開始する（Ｓ７）。
【００２５】
図５に示すように、プリントスタートキーが押されてプリントスタートがなされると（Ｓ８）、制御手段６０は、白紙排出用フラグがセットされているかどうかをチェックし（Ｓ９）、フラグがセットされている場合には、白紙排出を開始する（Ｓ１０）。
「白紙排出」は、吸湿して転写不良が懸念される用紙の部分をカットして予め除去するものであり、カットすべき一定長は用紙種類（厚さ、幅サイズ等を含む）により異なる。このカット長さ（一定長）のデータも予めＲＯＭに記憶されており、制御手段６０は選択されたロール転写紙に対応する搬送ローラ対の回転を制御して一定長を引き出す。引き出された用紙をカットし、画像形成を行うことなく排出する。その後、通常の画像形成動作（プリント動作）を開始する（Ｓ１１）。すなわち、白紙排出は次の画像形成動作の直前に行うようにする。この場合の白紙排出は、転写紙７８、７９、８０のうち使用対象となっているものについてのみ行ってもよく、全てに対して行ってもよい（他の実施形態において同じ）。
Ｓ９において、白紙排出用フラグがセットされていない場合には、通常の画像形成動作（プリント動作）を開始する（Ｓ１２）。一定長をユーザが任意に変更できるようにしてもよい。
白紙排出では、その吸湿カット紙の排出先をユーザが任意に選択できるようになっている。ユーザは操作パネル５１Ａにより排出先を設定する。
【００２６】
上記実施形態では、湿度センサ６１からの検出情報に基づいて吸湿判定時間を設定する方式としたが、温度と湿度を組み合わせた関係データテーブルを作成し、湿度センサと温度センサからの検出情報に基づいて吸湿判定時間を設定する方式としてもよい。温度と湿度を同時に検出できる温湿度センサを用いてもよい。
上記実施形態では、画像形成動作の停止中に湿度センサ６１の検出情報に基づいて用紙の吸湿状態をチェックする方式としたが、電源オン時の湿度を判断し、湿度がある基準値を超えていた場合には一定長をカットし、画像形成を行うことなく排出し、その後、通常の画像形成動作を行い、湿度がある基準値を超えていない場合には最初から通常の画像形成動作を行う方式としてもよい。
また、湿度センサ６１を設けずに、電源オン時、一律に白紙排出を行うようにしてもよい。
また、湿度センサ６１を設けずに、あるタイミング（例えば画像形成動作の直前）にて白紙排出を行うようにしてもよい。
なお、上記実施形態では、ロール状に巻成されたシート状記録媒体に対する吸湿対策を示したが、１枚１枚分離されたいわゆるカット紙をシート状記録媒体として用いる場合にも同様に実施できる。例えば、電源オン時湿度が基準値を超えていた場合には、最上の１枚又は２枚を白紙排出するようにする。
【００２７】
【発明の効果】
請求項１記載の発明によれば、像担持体上に形成された静電潜像を現像手段により可視像化し、該可視像を、ロール状に巻成され所定長さにカットされて給送されるシート状記録媒体に転写手段により転写し、転写された可視像を定着手段により定着する画像形成装置において、電源オン時、ロール状に巻成されたシート状記録媒体の先端からの一定長をカットし、画像形成を行うことなく排出することとしたので、吸湿による白抜け画像の発生を新たな構成要素（ヒータ等）を付加することなく実現できる。
【００２８】
請求項２記載の発明によれば、像担持体上に形成された静電潜像を現像手段により可視像化し、該可視像を、ロール状に巻成され所定長さにカットされて給送されるシート状記録媒体に転写手段により転写し、転写された可視像を定着手段により定着する画像形成装置において、湿度を検出する湿度検出手段を有し、該湿度検出手段からの検出情報に基づいて電源オン時の湿度を判断し、湿度がある基準値を超えていた場合にはロール状に巻成されたシート状記録媒体の先端からの一定長をカットし、画像形成を行うことなく排出し、その後、通常の画像形成動作を行い、湿度がある基準値を超えていない場合には最初から通常の画像形成動作を行うこととしたので、吸湿による白抜け画像の発生を低コストで実現できる。
【００２９】
請求項３記載の発明によれば、像担持体上に形成された静電潜像を現像手段により可視像化し、該可視像を、ロール状に巻成され所定長さにカットされて給送されるシート状記録媒体に転写手段により転写し、転写された可視像を定着手段により定着する画像形成装置において、あるタイミングにて、ロール状に巻成されたシート状記録媒体の先端からの一定長をカットし、画像形成を行うことなく排出することとしたので、吸湿による白抜け画像の発生を新たな構成要素（ヒータ等）を付加することなく実現できる。
【００３０】
請求項４記載の発明によれば、請求項３記載の画像形成装置において、上記あるタイミングが、画像形成動作の直前であることとしたので、白抜け画像の発生を確実に防止することができる。
【００３１】
請求項５記載の発明によれば、像担持体上に形成された静電潜像を現像手段により可視像化し、該可視像を、ロール状に巻成され所定長さにカットされて給送されるシート状記録媒体に転写手段により転写し、転写された可視像を定着手段により定着する画像形成装置において、湿度を検出する湿度検出手段と、タイマーを有し、画像形成動作の停止中に上記湿度検出手段からの検出情報に基づいて湿度がある基準値を超えたと判断された場合、上記タイマーをスタートさせ、所定時間が経過した場合には、ロール状に巻成されたシート状記録媒体の先端からの一定長をカットし、画像形成を行うことなく排出することとしたので、吸湿による白抜け画像の発生を低コストで実現できる。
【００３２】
請求項６記載の発明によれば、請求項５記載の画像形成装置において、画像形成を行うことなく排出することを、次の画像形成動作の直前に行うこととしたので、白抜け画像の発生を確実に防止することができる。
【００３３】
請求項７記載の発明によれば、請求項５又は６記載の画像形成装置において、上記所定時間を任意に変更可能であることとしたので、環境条件の変化により白抜け画像の発生があっても所定時間の調整により確実に防止することができる。
【００３４】
請求項８記載の発明によれば、請求項１乃至７のうちの何れか１つに記載の画像形成装置において、シート状記録媒体の種類に応じて上記一定長を変えることとしたので、特別な種類のシート状記録媒体を使用する場合であっても白抜け画像の発生を確実に防止することができる。
【００３５】
請求項９記載の発明によれば、請求項１乃至８のうちの何れか１つに記載の画像形成装置において、画像形成を行うことなく排出されるシート状記録媒体の排出先を、任意に選択可能であることとしたので、例えば白紙排出されたシート状記録媒体が印刷されたシート状記録媒体に混在することを防止できる。
【図面の簡単な説明】
【図１】本発明の実施形態における画像形成装置としてのデジタル複写機の概要正面図である。
【図２】制御ブロック図である。
【図３】用紙種類等の入力を行う入力手段の概要平面図である。
【図４】制御動作を示すフローチャートである。
【図５】制御動作を示すフローチャートである。
【符号の説明】
３２  現像手段としての現像ユニット
３３  像担持体としての感光体
３６  転写手段としての転写チャージャ
６１  湿度検出手段としての湿度センサ
６５  タイマー
７８、７９、８０  ロール状に巻成されたシート状記録媒体としての転写紙
【図１】
2005024715.tif 000003
【図２】
2005024715.tif 000004
【図３】
2005024715.tif 000005
【図４】
2005024715.tif 000006
【図５】
2005024715.tif 000007